(57)【要約】【課題】監視対象領域の画像をテレビ信号に変換してテレビ放送伝送システムの端末側に伝送する監視システムにおいて、監視対象領域での異常の発生の有無にかかわらず、端末側のテレビ受信装置を使って監視対象領域の状態をいつでも連続的に確認することができ、しかも、異常発生時には、端末側の報知装置を使って速やかに報知できるようにする。【解決手段】監視装置１０は、監視対象領域を撮像するテレビカメラ１４からの映像信号及び音声信号に基づき、テレビ放送伝送システムで伝送されていない放送チャンネルのテレビ信号を生成して、テレビ放送伝送システムの伝送線に送出する。また、侵入センサ１６にて監視対象領域への人の侵入が検出されると、発振器１８からの通知信号をマイク１２からの音声信号に混合してテレビ信号生成回路２０に入力することで、テレビ信号生成回路２０に、音声信号として通知信号を含むテレビ信号を生成させる。【選択図】図１
2008172415.tif 000002
【特許請求の範囲】
【請求項１】
監視対象領域を撮像して映像信号を出力する撮像手段と、
監視対象領域の音を音声信号に変換するマイクロフォンと、
前記撮像手段からの映像信号と前記マイクロフォンからの音声信号とに基づき、所定放送チャンネルのテレビ信号を生成するテレビ信号生成手段と、
該テレビ信号生成手段にて生成されたテレビ信号を、テレビ放送伝送システムの伝送線に流れるテレビ放送信号と混合して、該テレビ放送伝送システムの端末側に伝送させるテレビ信号混合手段と、
を備えた監視装置であって、
前記監視対象領域の異常を検出する異常検出手段と、
該異常検出手段にて前記監視対象領域の異常が検出されると、可聴周波数よりも周波数が高い超音波領域で一定周波数の音声信号である通知信号を、前記マイクロフォンからの音声信号と混合し、前記テレビ信号生成手段に入力する通知信号混合手段と、
を備えたことを特徴とする監視装置。
【請求項２】
前記異常検出手段を複数備え、
前記通知信号混合手段は、異常を検出した異常検出手段を特定可能な識別信号に基づき前記通知信号を変調する変調手段を備え、該変調手段にて変調された通知信号を、前記マイクロフォンからの音声信号と混合することを特徴とする請求項１に記載の監視装置。
【請求項３】
前記異常検出手段を複数備え、
前記通知信号混合手段は、前記各異常検出手段毎に、周波数が異なる通知信号を生成することを特徴とする請求項１又は請求項２に記載の監視装置。
【請求項４】
請求項１〜請求項３のいずれかに記載の監視装置が設置されたテレビ放送伝送システムの伝送線の端末側に接続され、前記通知信号に基づき前記監視対象領域の異常を検知して、その旨を報知する報知装置であって、
前記伝送線を流れる伝送信号の中から、前記監視装置から送出された放送チャンネルのテレビ信号を選局し、該選局したテレビ信号の中から前記音声信号に含まれる通知信号を抽出する通知信号抽出手段と、
該通知信号抽出手段にて通知信号が抽出されると、前記監視対象領域の異常を報知する報知手段と、
を備えたことを特徴とする報知装置。
【請求項５】
前記通知信号抽出手段にて抽出された通知信号から識別信号を復調する復調手段を備えたことを特徴とする請求項４に記載の報知装置。
【請求項６】
前記報知手段は、前記通知信号抽出手段にて通知信号が抽出されると、遠隔操作用のリモートコントロール装置を介して、前記伝送線に接続されたテレビ受信装置に対し、前記監視装置から送出された放送チャンネルのテレビ信号を選局して映像信号及び音声信号を復調させる選局指令を送信することを特徴とする請求項４又は請求項５に記載の報知装置。
【請求項７】
請求項１〜請求項３の何れかに記載の監視装置と、請求項４〜請求項６の何れかに記載の報知装置とを備えたことを特徴とする監視システム。
【発明の詳細な説明】
【技術分野】
【０００１】
本発明は、テレビ放送伝送システムを利用して監視対象領域を監視するのに好適な監視装置、報知装置、及び監視システムに関する。
【背景技術】
【０００２】
従来、住宅等で不審者の不正侵入を監視して住人に報知する監視システムとして、監視システムの設置対象となる建造物に構築されているテレビ放送伝送システムを利用するようにしたものが知られている（例えば、特許文献１等参照）。
【０００３】
この監視システムは、玄関等の監視対象領域に、人の侵入を検出する侵入センサや監視対象領域を撮像するテレビカメラを設置しておき、侵入センサにて人の侵入が検出されると、テレビカメラによる撮像画像に基づき、テレビ放送伝送システムで伝送されていない放送チャンネル（つまり空きチャンネル）のテレビ信号を生成して、テレビ放送伝送システムの伝送線に送出するように構成されている。
【０００４】
このため、テレビ放送伝送システムの端末側では、テレビ受像機や録画装置の選局チャンネルを、監視対象領域を撮像したテレビ信号の放送チャンネルに設定することで、侵入者を確認したり録画することができる。
【０００５】
また、この監視システムにおいて、侵入センサにて人の侵入が検出されたときにだけ、監視対象領域の画像をテレビ信号として端末側に伝送するようにすると、侵入センサにて人の侵入が検出されていない通常時には、端末側で、監視対象領域を確認することができない。
【０００６】
そこで、上記監視システムでは、侵入センサによる侵入検出時には、監視対象領域の画像からテレビ信号を連続的に生成して端末側に伝送し、侵入センサにて人の侵入が検出されていない通常時には、監視対象領域の画像からテレビ信号を一定周期で断続的に生成して端末側に伝送することも提案されている。
【０００７】
そして、このように、侵入センサによる侵入検出時には監視用のテレビ信号を連続的に生成し、侵入センサにて人の侵入が検出されていない通常時には監視用のテレビ信号を断続的に生成するようにした場合、端末側では、そのテレビ信号の伝送状態（パターン）から人の侵入の有無を判別して、監視対象領域に人が侵入した際にその旨を使用者に報知することができ、しかも、使用者は、監視対象領域の画像をいつでも確認することができることから、使用者にとって使い勝手のよい監視システムを実現できることになる。
【特許文献１】特開２００６−９４４８０号公報
【発明の開示】
【発明が解決しようとする課題】
【０００８】
しかしながら、上記提案の監視システムでは、侵入センサにて人の侵入が検出されていない通常時に、監視対象領域の状態を確認するために、使用者が、テレビ受像機の選局チャンネルを監視用の放送チャンネルに切り換えた際には、テレビ受像機に監視対象領域の画像がノイズ画像（所謂、砂嵐の画像）と交互に表示されることになる。
【０００９】
このため、その表示画像は、使用者にとって見難く、使用者は、その表示画像から監視対象領域の状態を確認するのが難しい、という問題があった。
本発明は、こうした問題に鑑みなされたものであり、監視対象領域を撮像した画像をテレビ信号に変換してテレビ放送伝送システムの伝送線に送出することにより、端末側のテレビ受信装置で監視対象領域の状態を確認できるようにした監視システムにおいて、侵入センサ等により監視対象領域の異常が検出されたときだけでなく、異常が検出されていない通常時にも、テレビ受信装置を使って監視対象領域の状態を連続的に確認することができ、しかも、監視対象領域に異常が発生したときには、その旨を速やかに報知できるようにすることを目的とする。
【課題を解決するための手段】
【００１０】
かかる目的を達成するためになされた請求項１に記載の発明は、監視対象領域を撮像して映像信号を出力する撮像手段と、監視対象領域の音を音声信号に変換するマイクロフォンと、前記撮像手段からの映像信号と前記マイクロフォンからの音声信号とに基づき、所定放送チャンネルのテレビ信号を生成するテレビ信号生成手段と、該テレビ信号生成手段にて生成されたテレビ信号を、テレビ放送伝送システムの伝送線に流れるテレビ放送信号と混合して、該テレビ放送伝送システムの端末側に伝送させるテレビ信号混合手段と、を備えた監視装置であって、前記監視対象領域の異常を検出する異常検出手段と、該異常検出手段にて前記監視対象領域の異常が検出されると、可聴周波数よりも周波数が高い超音波領域で一定周波数の音声信号である通知信号を、前記マイクロフォンからの音声信号と混合し、前記テレビ信号生成手段に入力する通知信号混合手段と、を備えたことを特徴とする。
【００１１】
また、請求項２に記載の発明は、請求項１に記載の監視装置において、前記異常検出手段を複数備え、前記通知信号混合手段は、異常を検出した異常検出手段を特定可能な識別信号に基づき前記通知信号を変調する変調手段を備え、該変調手段にて変調された通知信号を、前記マイクロフォンからの音声信号と混合することを特徴とする。
【００１２】
次に、請求項３に記載の発明は、請求項１又は請求項２に記載の監視装置において、前記異常検出手段を複数備え、前記通知信号混合手段は、前記各異常検出手段毎に、周波数が異なる通知信号を生成することを特徴とする。
【００１３】
一方、請求項４に記載の発明は、請求項１〜請求項３のいずれかに記載の監視装置が設置されたテレビ放送伝送システムの伝送線の端末側に接続され、前記通知信号に基づき前記監視対象領域の異常を検知して、その旨を報知する報知装置であって、前記伝送線を流れる伝送信号の中から、前記監視装置から送出された放送チャンネルのテレビ信号を選局し、該選局したテレビ信号の中から前記音声信号に含まれる通知信号を抽出する通知信号抽出手段と、該通知信号抽出手段にて通知信号が抽出されると、前記監視対象領域の異常を報知する報知手段と、を備えたことを特徴とする。
【００１４】
また、請求項５に記載の発明は、請求項４に記載の報知装置において、前記通知信号抽出手段にて抽出された通知信号から識別信号を復調する復調手段を備えたことを特徴とする。
【００１５】
次に、請求項６に記載の発明は、請求項４又は請求項５に記載の報知装置において、前記報知手段は、前記通知信号抽出手段にて通知信号が抽出されると、遠隔操作用のリモートコントロール装置を介して、前記伝送線に接続されたテレビ受信装置に対し、前記監視装置から送出された放送チャンネルのテレビ信号を選局して映像信号及び音声信号を復調させる選局指令を送信することを特徴とする。
【００１６】
また次に、請求項７に記載の発明は、監視システムに関するものであり、請求項１〜請求項３の何れかに記載の監視装置と、請求項４〜請求項６の何れかに記載の報知装置とを備えたことを特徴とする。
【発明の効果】
【００１７】
請求項１に記載の監視装置においては、テレビ信号生成手段が、撮像手段からの映像信号とマイクロフォンからの音声信号とに基づき、所定放送チャンネルのテレビ信号を生成し、テレビ信号混合手段が、その生成されたテレビ信号を、テレビ放送伝送システムの伝送線に流れるテレビ放送信号と混合することにより、テレビ放送伝送システムの端末側に伝送させる。
【００１８】
また、異常検出手段にて監視対象領域の異常が検出されると、通知信号混合手段が、可聴周波数よりも周波数が高い超音波領域で一定周波数の音声信号である通知信号を、マイクロフォンからの音声信号と混合して、テレビ信号生成手段に入力する。
【００１９】
従って、本発明の監視装置からテレビ放送伝送システムの伝送線には、監視対象領域を撮像した映像信号と監視対象領域の音声信号とにより生成されたテレビ信号が送出されることになり、使用者は、テレビ放送伝送システムの伝送線に接続された端末側のテレビ受像機を操作して、そのテレビ信号を選局させれば、監視対象領域の画像及び音声をリアルタイムで確認することができる。
【００２０】
また、異常検出手段にて監視対象領域の異常が検出された際には、テレビ信号を構成する音声信号に、超音波領域の音声信号である通知信号が重畳され、通知信号が重畳された監視対象領域の音声信号が端末側に伝送されることから、テレビ放送伝送システムの伝送線に、監視装置からのテレビ信号を選局して、そのテレビ信号に通知信号が含まれているか否かを判定可能な装置を設けるようにすれば、その装置の判定結果から、使用者に対し監視対象領域の異常を通知することもできる。
【００２１】
次に、請求項２に記載の監視装置においては、通知信号混合手段に、異常を検出した異常検出手段を特定可能な識別信号にて通知信号を変調する変調手段が設けられているため、監視対象領域に異常が生じたときに、監視対象領域の異常だけでなく、その異常内容を、テレビ放送伝送システムの端末側に通知することができるようになる。
【００２２】
また次に、請求項３に記載の監視装置には、複数の異常検出手段が設けられており、通知信号混合手段は、各異常検出手段毎に周波数が異なる通知信号を生成する。このため、この請求項３に記載の監視装置においても、請求項２に記載の装置と同様、監視対象領域の異常だけでなく、その異常内容を、テレビ放送伝送システムの端末側に通知することができるようになる。
【００２３】
一方、請求項４に記載の報知装置においては、通知信号抽出手段が、テレビ放送伝送システムの伝送線を流れる伝送信号の中から、監視装置から送出された放送チャンネルのテレビ信号を選局し、その選局したテレビ信号の中から前記音声信号に含まれる通知信号を抽出する。そして、この通知信号抽出手段により通知信号が抽出されると、報知手段が、監視対象領域の異常を報知する。
【００２４】
従って、この報知装置によれば、本発明の監視装置が設置されたテレビ放送伝送システムの伝送線の端末側に接続すれば、監視装置から伝送線に送出されたテレビ信号から、監視対象領域の異常を検知して、その異常を使用者に通知することができるようになる。
【００２５】
また次に、請求項５に記載の報知装置には、通知信号抽出手段にて抽出された通知信号から識別信号を復調する復調手段が設けられている。
従って、この報知装置は、請求項２に記載の監視装置と共にテレビ放送伝送システムに設置することより、監視装置側で監視対象領域の異常を検出した異常検出手段、延いては監視対象領域で発生した異常の内容を特定することができるようになり、使用者に対し、監視対象領域の異常と共に、その異常内容を通知することができるようになる。
【００２６】
一方、請求項６に記載の報知装置において、報知手段は、通知信号抽出手段にて通知信号が抽出されると、遠隔操作用のリモートコントロール装置を介して、伝送線に接続されたテレビ受信装置に対し、監視装置から送出された放送チャンネルのテレビ信号を選局して映像信号及び音声信号を復調させる選局指令を送信する。
【００２７】
従って、この報知装置によれば、監視対象領域に異常が生じたときに、テレビ放送伝送システムの伝送線に接続されたテレビ受信装置を、監視対象領域監視用のモニタ装置として強制的に動作させることができるようになり、使用者は、そのテレビ受信装置を用いて、監視対象領域の状態を確認することができる。
【００２８】
次に、請求項７に記載の監視システムは、請求項１〜請求項３の何れかに記載の監視装置と、請求項４〜請求項６の何れかに記載の報知装置とから構成される。このため、例えば、監視装置を住宅の玄関や勝手口に設置して、その付近の映像及び音声をテレビ信号に変換してテレビ放送伝送システムの伝送線上に送出するようにし、その伝送線の端末側に報知装置を接続するようにすれば、玄関や勝手口に訪問者がきたときなどに、使用者に対して、その旨を速やかに報知することができるようになる。また使用者は、伝送線に接続されたテレビ受信機を用いて、監視対象領域である玄関や勝手口の状態をいつでも確認することができる。
【発明を実施するための最良の形態】
【００２９】
以下に、本発明の実施形態を図面と共に説明する。
図１は本発明が適用された実施形態の監視システム全体の構成を表すブロック図である。
【００３０】
本実施形態の監視システムは、建造物の玄関等、所定の監視対象領域を撮像した画像を、その建造物に構築されたテレビ放送伝送システムの端末側に配信するものである。
まず、本実施形態のテレビ放送伝送システムは、各種放送チャンネルのテレビ放送信号を受信する受信アンテナ２と、この受信アンテナ２にて受信されたテレビ放送信号を所定レベルまで増幅する増幅装置４とを備え、この増幅装置４にて増幅された受信信号を、伝送線としての同軸ケーブル６や分配器８を介して、建造物内の各部屋に設けられたテレビ端子９まで伝送する、所謂共同受信システムである。
【００３１】
そして、本実施形態の監視システムは、監視対象領域となる玄関等に設置された監視装置１０と、テレビ放送伝送システムの端末側に設置された報知装置３０とから構成されている。
【００３２】
このうち、監視装置１０には、監視対象領域の画像を撮像するためのテレビカメラ１４と、監視対象領域への人の侵入を検出する侵入センサ１６と、が設けられている。
テレビカメラ１４は、本発明の撮像手段に相当し、監視対象領域の画像を撮像して映像信号を出力するものであるが、このテレビカメラ１４には、監視対象領域の音声を取り込むためのマイクロフォン（以下単にマイクという）１２も内蔵されている。
【００３３】
また、監視装置１０には、マイク１２からの音声信号とテレビカメラ１４からの映像信号とに基づき、受信アンテナ２にて受信されるテレビ放送信号とは異なる放送チャンネルのテレビ信号を生成する、テレビ信号生成手段としてのテレビ信号生成回路２０と、可聴周波数よりも周波数が高い超音波領域で一定周波数（例えば５１ｋＨｚ）の音声信号（以下、通知信号という）を発生する発振器１８と、発振器１８からの通知信号をマイク１２からの音声信号に混合してテレビ信号生成回路２０に入力する、通知信号混合手段としての混合回路１９と、発振器１８から混合回路１９への通知信号の入力経路を遮断又は接続するスイッチＳＷと、が設けられている。
【００３４】
一方、侵入センサ１６は、光を投受光するフォトカプラや、超音波センサ等を利用して、監視対象領域での人の通過を検出することにより、監視対象領域への人の侵入を検出するものであり、本発明の異常検出手段に相当する。
【００３５】
そして、この侵入センサ１６からの検出信号はスイッチＳＷに入力され、スイッチＳＷは、侵入センサ１６にて監視対象領域への人の侵入が検出されたときにオン状態となり、侵入センサ１６にて監視対象領域への人の侵入が検出されていなければオフ状態となる。
【００３６】
この結果、侵入センサ１６にて監視対象領域への人の侵入が検出されているときには、テレビ信号生成回路２０にて生成されるテレビ信号に、音声信号の１つとして一定周波数の通知信号が混入され、侵入センサ１６にて監視対象領域への人の侵入が検出されていない通常時には、テレビ信号生成回路２０にて生成されるテレビ信号に通知信号が混入されることはない。
【００３７】
そして、このようにテレビ信号生成回路２０にて生成されたテレビ信号は、テレビ信号混合手段としての混合器２２にて、受信アンテナ２からの受信信号（テレビ放送信号）と混合され、同軸ケーブル６や分配器８を介して、端末側のテレビ端子９まで伝送される。
【００３８】
次に、報知装置３０は、テレビ受像機６０やテレビ放送の録画装置（図示せず）等、テレビ放送受信用の他の受信端末と同様に、テレビ放送伝送システムの端末側のテレビ端子９に接続されている。
【００３９】
この報知装置３０には、テレビ信号生成回路２０にて生成された所定放送チャンネルのテレビ信号を選局して映像信号及び音声信号を復調する選局・復調回路３２と、この選局・復調回路３２にて復調された音声信号に通知信号が含まれているか否かを判定する検出回路３４と、この検出回路３４にて音声信号に通知信号が含まれていると判定されると、警報音発生装置３６及び警報ランプ３８を動作させることにより、監視対象領域への人の侵入を音及び光にて報知する制御回路４０とが設けられている。
【００４０】
また、制御回路４０は、ＣＰＵ、ＲＯＭ、ＲＡＭ等からなるマイクロコンピュータ（マイコン）にて構成されており、この制御回路４０には、報知装置３０の動作を設定するための操作部４２、その動作設定状態を表示するための表示部４４、テレビ受像機６０等の他の受信端末を遠隔操作用のリモートコントロール装置（以下、リモコン装置という）５０等が接続されている。
【００４１】
そして、制御回路４０は、操作部４２を介して、検出回路３４にて通知信号が検出されたときにテレビ受像機６０等の他の受信端末に監視対象領域の画像及び音声を出力させる動作モードが設定されているときには、リモコン装置５０から、対象となる受信端末（図ではテレビ受像機６０）に、予め設定された選局指令を送信することで、受信端末に、テレビ信号生成回路２０にて生成されたテレビ信号を選局・復調させる。
【００４２】
また、選局・復調回路３２で復調された映像信号及び音声信号は、所定の信号線を介して、他の受信端末（図ではテレビ受像機６０）の映像入力端子及び音声入力端子に出力できるようにされている。そして、制御回路４０は、操作部４２からの動作モードの設定により、映像入力端子及び音声入力端子に入力された映像信号及び音声信号に基づく画像及び音声を出力させる選局指令を他の受信端末に送信することもできる。
【００４３】
なお、本実施形態の報知装置３０においては、選局・復調回路３２と検出回路３４とが本発明の通知信号抽出手段に相当し、制御回路４０、警報音発生装置３６、警報ランプ３８及びリモコン装置５０が、本発明の報知手段に相当する。
【００４４】
以上説明したように、本実施形態の監視システムにおいて、監視装置１０は、侵入センサ１６にて監視対象領域への人の侵入（つまり異常）が検出されると、発振器１８からの通知信号をマイク１２からの音声信号に混合してテレビ信号生成回路２０に入力することで、テレビ信号生成回路２０に、音声信号として通知信号を含むテレビ信号を生成させる。
【００４５】
このため、テレビ放送伝送システムの端末側では、侵入センサ１６による検出結果にかかわらず、テレビ受像機６０等を利用して、監視対象領域の状態をリアルタイムで連続的に確認することができる。
【００４６】
また、通知信号は、可聴周波数よりも周波数が高い超音波であるため、テレビ信号の音声信号に通知信号が混入されていても、テレビ受像機６０等から監視対象領域の音声を出力させた際に通知信号が聞こえることはなく、使用者は、監視対象領域の状態を良好に確認することができる。
【００４７】
なお、本実施形態において、通知信号は、５１ｋＨｚの超音波信号であるものとして説明したが、これは、通知信号を、ステレオ放送や音声多重放送で使用される音声多重信号の副搬送波や制御チャンネル信号とは異なる周波数に設定するためであり、通知信号の周波数としては、可聴周波数以上（一般に２０ｋＨｚ以上）で音声復調に影響しない周波数（例えば４７ｋＨｚ〜５４ｋＨｚの範囲内）であればよい。
【００４８】
一方、本実施形態の報知装置３０においては、同軸ケーブル６を介して受信アンテナ２側から伝送されてきた伝送信号の中から、監視装置１０にて生成されたテレビ信号を選局・復調し、復調した音声信号に通知信号が含まれていれば、警報音発生装置３６及び警報ランプ３８、若しくはテレビ受像機６０等の他の受信端末を動作させて、その旨（つまり監視対象領域に人が侵入したこと）を報知する。
【００４９】
このため、本実施形態の監視システムによれば、使用者は、テレビ受像機６０を介して、監視対象領域の状態を監視することなく、この報知装置３０の動作によって、監視対象領域への人の侵入を検知することができる。
【００５０】
また、本実施形態の報知装置３０は、制御回路４０の動作モードの設定により、監視対象領域への人の侵入が検出された際に、テレビ受像機６０から監視対象領域の画像と音声を出力させることができるため、使用者は、監視対象領域への人の侵入が検出された際に、監視対象領域の状態を速やかに確認することができ、監視システムの使い勝手を向上できる。
【００５１】
以上、本発明の一実施形態について説明したが、本発明は上記実施形態に限定されるものではなく、本発明の要旨を逸脱しない範囲内にて種々の態様をとることができる。
例えば、図２（ａ）に示すように、監視装置１０に、侵入センサ１６に加えて、侵入センサ１６自体の異常（断線等）を検出するセンサ異常検出回路１７が設けられているような場合には、これら各異常検出手段（侵入センサ１６、センサ異常検出回路１７）が異常（人の侵入、センサ異常）を検出したときに出力する検出信号を、互いに周期が異なるパルス信号（つまり異常検出手段を特定可能な識別信号）に設定して、その検出信号（パルス信号）を変調回路１５に入力することで、変調回路１５により、発振器１８からの通知信号を検出信号（パルス信号）にて振幅変調させるようにしてもよい。
【００５２】
そして、この場合、図２（ｂ）に示すように、報知装置３０に、選局・復調回路３２にて抽出された一定周波数の通知信号から検出信号を復調する検出信号復調回路３５を設け、この検出信号復調回路３５にて復調された検出信号（パルス信号）を制御回路４０に入力するようにすれば、制御回路４０側で、監視対象領域で生じた異常内容を特定して、使用者に通知することができるようになる。
【００５３】
なお、図２（ａ）に示す変調回路１５は、本発明の変調手段に相当し、図２（ｂ）に示す検出信号復調回路３５は、本発明の復調手段に相当する。
またこのように、監視装置１０に複数の異常検出手段（侵入センサ１６、センサ異常検出回路１７等）を設け、報知装置３０側で、異常を検出した異常検出手段を識別できるようにするには、例えば、監視装置１０及び報知装置３０を、図３に示すように構成してもよい。
【００５４】
つまり、図３（ａ）に示すように、監視装置１０には、各異常検出手段（侵入センサ１６、センサ異常検出回路１７）に対応して、それぞれ異なる周波数ｆａ、ｆｂの通知信号を発生する発振器１８ａ、１８ｂを設け、異常検出手段（侵入センサ１６、センサ異常検出回路１７）の一方から検出信号が出力されると、それに対応したスイッチＳＷａ又はＳＷｂがオンして、発振器１８ａ又は１８ｂからの通知信号が混合回路１９ａ又は１９ｂを介して、音声信号に混合されるようにする。
【００５５】
また、図３（ｂ）に示すように、報知装置３０側では、選局・復調回路３２から復調後の音声信号に含まれる周波数ｆａ、ｆｂの通知信号がそれぞれ出力されるように構成し、その通知信号の有無を、第１検出回路３４ａ、第２検出回路３４ｂにてそれぞれ検出して、その検出結果を制御回路４０に入力するようにする。
【００５６】
そして、監視装置１０及び報知装置３０を図３に示すように構成しても、報知装置３０の制御回路４０にて、監視対象領域で生じた異常内容を特定して、使用者に通知することができるようになる。
【図面の簡単な説明】
【００５７】
【図１】実施形態の監視システムの全体構成を表すブロック図である。
【図２】監視装置及び報知装置の変形例を表すブロック図である。
【図３】監視装置及び報知装置の変形例を表すブロック図である。
【符号の説明】
【００５８】
２…受信アンテナ、４…増幅装置、６…同軸ケーブル、８…分配器、９…テレビ端子、１０…監視装置、１２…マイク、１４…テレビカメラ、１５…変調回路、１６…侵入センサ、１７…センサ異常検出回路、１８，１８ａ，１８ｂ…発振器、１９…混合回路、ＳＷ，ＳＷａ，ＳＷｂ…スイッチ、２０…テレビ信号生成回路、２２…混合器、３０…報知装置、３２…選局・復調回路、３４…検出回路、３４ａ…第１検出回路、３４ｂ…第２検出回路、３５…検出信号復調回路、３６…警報音発生装置、３８…警報ランプ、４０…制御回路、４２…操作部、４４…表示部、５０…リモコン装置、６０…テレビ受像機。
【図１】
2008172415.tif 000003
【図２】
2008172415.tif 000004
【図３】
2008172415.tif 000005